(57)【要約】  表示画像と演出動作との不一致によって演出の効果が損なわれることを回避する。表示対象の画像を順次切り替えて表示する画像表示制御部（２１）と、画像に対応付けて実行する演出動作を決定し、決定した演出動作を画像の表示に合わせて実行する演出出力制御部（２２）とを備え、画像表示制御部（２１）は、演出出力制御部（２２）から取得した、演出終了時点に基づいて、現表示画像から次表示画像への表示切替タイミングを制御する。
2017051686.tif 000002
【特許請求の範囲】
【請求項１】
表示対象の画像を順次切り替えて表示する画像表示制御部と、
上記画像表示制御部によって表示される画像に対応付けて実行する演出動作を決定し、決定した演出動作を上記画像の表示に合わせて実行する演出出力制御部とを備え、
上記画像表示制御部は、上記演出出力制御部から取得した、上記演出動作が終了する時点を示す演出終了時点に基づいて、現表示画像から次表示画像へ表示を切り替えるタイミングを制御することを特徴とする画像表示装置。
【請求項２】
上記演出出力制御部は、上記現表示画像に対応する演出動作が終了したときに、その旨を上記画像表示制御部に通知し、
上記画像表示制御部は、上記通知を取得するまで、上記現表示画像の表示を継続することを特徴とする請求項１に記載の画像表示装置。
【請求項３】
上記演出出力制御部は、上記現表示画像に対応する演出動作の所要時間を特定し、該演出動作を開始した後、終了するまでの間に、上記所要時間に基づいて算出した、上記演出終了時点を上記画像表示制御部に通知し、
上記画像表示制御部は、上記現表示画像に対応する演出動作が終了する時点以降に、現表示画像の非表示化が完了するように画像を切り替えるタイミングを制御することを特徴とする請求項１に記載の画像表示装置。
【請求項４】
上記画像表示制御部は、上記次表示画像に対応する演出動作を、上記現表示画像に対応する演出動作が終了する時点以降に開始するように上記演出出力制御部に要求するとともに、上記現表示画像に対応する演出動作が終了する時点以降に上記次表示画像が表示されるように画像を切り替えるタイミングを制御することを特徴とする請求項３に記載の画像表示装置。
【請求項５】
上記画像表示制御部は、上記演出出力制御部から取得した上記演出終了時点が、所定時点よりも後である場合に、上記現表示画像を非表示にするとともに、上記現表示画像に対応する演出動作を中断するように上記演出出力制御部に要求し、
上記演出出力制御部は、上記要求にしたがって、上記演出動作を中断するまたは上記演出動作に差し替えて、より短い別の演出動作を実行することを特徴とする請求項３または４に記載の画像表示装置。
【請求項６】
上記現表示画像に対応する演出動作が終了しないうちに、上記画像表示装置に対して入力操作があったとき、
上記画像表示制御部は、
上記入力操作が上記次表示画像の表示に関する入力操作である場合に、実行中の上記現表示画像に対応する演出動作を、所定の演出動作に変更するように上記演出出力制御部に要求するとともに、上記現表示画像から上記次表示画像へ表示を切り替えることを特徴とする請求項１から５までのいずれか１項に記載の画像表示装置。
【請求項７】
上記現表示画像に対応する演出動作が終了しないうちに、上記画像表示装置に対して入力操作があったとき、
上記画像表示制御部は、
上記入力操作が上記現表示画像の表示継続に関する入力操作である場合に、実行中の上記現表示画像に対応する演出動作の後に、所定の演出動作を実行するように上記演出出力制御部に要求するとともに、上記演出出力制御部から取得した上記演出終了時点以降も上記現表示画像の表示を継続することを特徴とする請求項１から６までのいずれか１項に記載の画像表示装置。
【発明の詳細な説明】
【技術分野】
【０００１】
本発明は、表示対象の画像を順次切り替えて表示する画像表示装置に関する。
【背景技術】
【０００２】
従来、複数の画像をスライドショー形式で表示する際に、画像と紐づく演出動作（一例として、音声データの出力）を同時に実行する技術がある。例えば、特許文献１の技術において、画像に合わせて音声データを出力しようとした場合に、一定時間間隔で画像をコマ送りする方式では、音声データの長さによって、その出力が完了する前に次の画像に遷移することがあるため、音声データの出力時間に基づいて、次の画像へ切り替えるタイミングを調整していた。
【先行技術文献】
【特許文献】
【０００３】
【特許文献１】日本国公開特許公報「特開２００２−２８１４４０号」（２００２年９月２７日公開）
【特許文献２】日本国公開特許公報「特開２０１１−２２７７８３号」（２０１１年１１月１０日公開）
【発明の概要】
【発明が解決しようとする課題】
【０００４】
しかしながら、上述のような従来技術では、以下の問題が生じる。すなわち、特許文献１の技術では、画像に対応する音声データが、スライドショーの各画像に対して、事前に割り当てられていて、そのために、音声データの再生時間が事前に把握できることが前提であり、そうでなければ、画像を切り替えるタイミングを音声データの出力のタイミングに合わせることができない。具体的には、画像の内容または周辺環境に応じて音声の内容を動的に変更するようなシステムにおいては、音声データの出力時間は一律でなく、また、その出力時間は、表示する画像が特定され、特定された画像に紐付ける音声データの内容が確定するまで判明しないので、音声データに合わせて画像を切り替えるべきタイミングが特定できないという問題がある。【０００５】
本発明は、上記問題に鑑みてなされたものであり、その目的は、画像に対して動的に演出が付与されるために、演出の終了時点が全画像で一律でない場合であっても、演出終了時点を画像ごとに把握し、表示されている画像と実行されている演出動作との不一致によって演出の効果が損なわれるという事態を回避することにある。
【課題を解決するための手段】
【０００６】
上記の課題を解決するために、本発明の一態様に係る画像表示装置は、表示対象の画像を順次切り替えて表示する画像表示制御部と、上記画像表示制御部によって表示される画像に対応付けて実行する演出動作を決定し、決定した演出動作を上記画像の表示に合わせて実行する演出出力制御部とを備え、上記画像表示制御部は、上記演出出力制御部から取得した、上記演出動作が終了する時点を示す演出終了時点に基づいて、現表示画像から次表示画像へ表示を切り替えるタイミングを制御する。
【発明の効果】
【０００７】
本発明の一態様によれば、表示されている画像と実行されている演出動作との不一致によって演出の効果が損なわれるという事態を回避するという効果を奏する。
【図面の簡単な説明】
【０００８】
【図１】本発明の実施形態１における画像表示装置としての対話ロボットの要部構成を示すブロック図である。
【図２】実施形態１におけるスライドショー再生処理による、画像の表示タイミングと演出の出力タイミングとを説明するタイムチャートである。
【図３】上記対話ロボットにおけるスライドショー再生処理の流れを示すフローチャートである。
【図４】実施形態２におけるスライドショー再生処理による、画像の表示タイミングと演出の出力タイミングとを説明するタイムチャートである。
【図５】実施形態２におけるスライドショー再生処理による、画像の表示タイミングと演出の出力タイミングとを説明するタイムチャートである。
【図６】（ａ）および（ｂ）は、実施形態２の対話ロボットにおけるスライドショー再生処理の流れを示すフローチャートである。
【図７】実施形態３におけるスライドショー再生処理による、画像の表示タイミングと演出の出力タイミングとを説明するタイムチャートである。
【図８】実施形態３の対話ロボットにおけるスライドショー再生処理の流れを示すフローチャートである。
【図９】本発明の対話ロボットの外観を示す図である。
【発明を実施するための形態】
【０００９】
〔実施形態１〕
以下、本発明の実施形態について図１〜３を参照して詳細に説明する。一実施形態において、本発明の画像表示装置は、一例として、図９に示すような表示部を備えた対話ロボットであり、本発明の画像表示方法は、一例として、対話ロボットが、該対話ロボットに搭載されたスライドショーアプリケーションを実行することにより実現される。
【００１０】
（画像表示装置の構成）
図１は、本発明の実施形態における画像表示装置としての対話ロボットの要部構成を示すブロック図である。対話ロボット（画像表示装置）１は、制御部１０、記憶部１１、入力部１２および表示部１３を備え、必要に応じてさらに、スピーカ１４、サーボ１５およびＬＥＤ１６を備えている構成である。対話ロボット１は、対話ロボットとしてその他の機能を備えているが、このうち本発明に直接関係の無い部分については記載を省略した。
【００１１】
制御部１０は、対話ロボット１が有する各種の機能を統括的に制御する。制御部１０は、機能ブロックとして、少なくとも、画像表示制御部２１および演出出力制御部２２を含み、必要に応じてさらに、入力処理部２０、画像解析部２３、演出作成部２４およびタイマ処理部２５を含んでいてもよい。機能ブロックは、例えば、ＣＰＵなどが、不揮発性の記憶装置（記憶部１１）に記憶されているプログラムを不図示のＲＡＭ等に読み出して実行することで実現できる。記憶部１１は、上記プログラムおよび上記スライドショーアプリケーションの他に、対話ロボット１が処理する各種情報を記憶する。入力部１２は、対話ロボット１を動作させるための指示信号をユーザが対話ロボット１に対して入力するものであり、例えば、対話ロボット１に内蔵されたタッチパネル１７およびマイク１８などで実現される。
【００１２】
表示部１３は、記憶部１１に記憶されている各種情報（画像ＤＢ３０、画像パターンＤＢ３１）をユーザが視認可能なように表示するものであり、例えば、ＬＣＤ（液晶ディスプレイ）などの表示装置で構成される。スピーカ１４は、制御部１０によって処理された音データを音声、効果音または音楽などとして出力し、聴覚的効果を演出するものである。サーボ１５は、対話ロボット１を振動させたり、特定のジェスチャーをさせたりするなどして、対話ロボット１の物理的な動き（以下、モーション）を実現し、触覚に係る効果または視覚的効果を演出するものである。ＬＥＤ１６は発光素子であり、制御部１０の制御下で、点灯／消灯のタイミングまたは光の色を変更するなどして、照明または電飾としての視覚的効果を演出するものである。本発明の各実施形態では、一例として、表示部１３は、画像表示制御部２１の制御下で、画像の表示切替を実行し、さらに、画像の非表示または画像の表示に移行期間を設けて、表示切替用のアニメーションを出力する、表示切替の実行主体として機能する。また、スピーカ１４、サーボ１５、および、ＬＥＤ１６は、演出出力制御部２２の制御下で画像に対応付けて実行すべき演出動作を実行する、演出動作の実行主体として機能する。以下では、演出出力制御部２２が演出動作の各実行主体に対して演出動作の実行を指示すること、および、その指示にしたがって各実行主体がそれぞれの演出動作を実行することを、まとめて、「演出出力制御部２２が演出動作を実行する」あるいは、「演出の出力」または「演出を出力する」と表現する。そして、演出動作を実際に実行する上述の各実行主体を、（演出の）出力部と称する。
【００１３】
記憶部１１に記憶されている画像データベース（ＤＢ）３０は、対話ロボット１においてスライドショーが再生されたときに表示される画像を格納している。画像は、例えば、デジタルカメラなどで撮影された写真であり、個々の画像には、撮影日時情報および撮影位置情報が関連付けられている。画像パターンデータベース（ＤＢ）３１は、画像に写っている内容を対話ロボット１が解析して認識するために必要となる情報を記憶している。例えば、画像パターンＤＢ３１は、あらゆる事物の画像特徴量（色、形状など）と、該特徴量を有する事物の名称とを関連付けて格納するものである。
【００１４】
制御部１０の入力処理部２０は、ユーザが入力部１２に対して行った入力操作に基づいて、当該入力操作に応じた処理命令を各部に送信するものである。例えば、ユーザがスライドショーの再生指示を意味する操作を入力部１２に対して行うと、入力処理部２０はスライドショーの再生に必要な処理命令を、画像表示制御部２１へ送信する。本実施形態では、入力処理部２０は、タッチパネル１７が操作されることにより入力された信号を解析する機能、および、マイク１８から入力された音声を認識する機能を有する。これらの機能は従来の任意の技術により実現される。
【００１５】
画像表示制御部２１は、入力処理部２０からの処理命令に基づいて、スライドショーの再生を制御する。詳細には、ユーザにより指定されたスライドショーとしてグループ化された１以上の画像群を特定し、個々の画像を表示するタイミングを制御する。また、画像表示制御部２１は、次に表示対象となる個々の画像を選択して画像解析部２３および演出出力制御部２２に対して通知する。なお、画像表示制御部２１が表示対象画像を選択するときの基準として、画像ファイル名の昇順、画像の撮影日時順などように画像の属性に基づく基準が採用されてもよい。あるいは、画像表示制御部２１は、入力処理部２０からの処理命令に含められた、ユーザ指定の順序にしたがって、順次表示対象画像を選択してもよい。特に本実施形態では、画像表示制御部２１は、演出出力制御部２２に対して、上述のように通知した表示対象画像について演出を出力するように要求し、その応答として上記演出の終了時点（以下、演出終了時点）を該演出出力制御部２２から受け取る。これにより、画像表示制御部２１は、上記表示対象画像に関連付けて出力される演出の演出終了時点を考慮して、該表示対象画像の表示終了時点またはその次の表示対象画像の表示開始時点を決定する。具体的には、画像表示制御部２１は、現在表示中の画像（現表示画像）の演出が終了していないうちは、現表示画像の表示を継続し、次に表示予定の画像（次表示画像）の表示を行わず、上記現表示画像の演出が終了してから次表示画像を表示する。
【００１６】
また、画像表示制御部２１は、画像に対応付けて実行すべき演出動作のうち、表示部１３によって実行される画像の表示の仕方に係る演出動作（後述のアニメーション出力）に関して、その実行を制御する。
【００１７】
画像解析部２３は、画像ＤＢ３０に格納された各画像の解析を行う。具体的には、画像に関連付けられた撮影日時情報および撮影位置情報を抽出したり、画像を、画像パターンＤＢ３１に格納された画像特徴量の各々と比較して、画像に写っている事物の名称を特定したりする。画像解析部２３が出力した解析結果（事物の名称を示す被写体情報、撮影日時情報および撮影位置情報）は、画像ごとに記憶部１１に格納され、演出作成部２４が演出を作成する際に利用される。なお、画像の解析手法については従来の任意の技術が採用されればよい（例えば、特許文献２）。
【００１８】
演出作成部２４は、演出出力制御部２２の指示にしたがって、演出出力制御部２２が指定した画像とともに出力すべき演出の内容を決定する。演出作成部２４は、画像解析部２３によって出力された上記画像の解析結果に基づいて、該画像の内容に合うように演出の内容を決定し、その演出の内容を示す演出情報を作成する。演出情報は、演出を出力するための各出力部（表示部１３、スピーカ１４、サーボ１５およびＬＥＤ１６）に対する処理命令を含む。詳細には、演出情報は、演出を担当する出力部を指定する情報、出力される演出の内容、および、該演出を出力するタイミングを指定する情報含む。例えば、これには限定されないが、演出情報は、（１）表示部１３に対して、画像の表示／非表示時に画像自体もしくは画像に関連する図形に、アニメーション（フェードイン、フェードアウト、ワイプイン、ワイプアウト、ズームイン、ズームアウトなど）を付与することを指示する命令、（２）スピーカ１４に対して、画像が表示されている間に、音データ（音声、音楽、効果音など）を出力すること指示する命令、（３）サーボ１５に対して、画像が表示されてからｘ秒後にモーションを実行することを指示する命令、（４）ＬＥＤ１６に対して、画像表示されている間に、特定の色の発光素子の点灯／消灯を実行することを指示する命令、または、（５）これらの任意の命令の組み合わせを含む。演出作成部２４によって作成された演出情報は、画像ごとに記憶部１１に格納され、演出出力制御部から、図示しない各出力部の出力制御部（音声出力制御部、モーション出力制御部、ＬＥＤ制御部）を介して、スピーカ１４、サーボ１５またはＬＥＤ１６に送られる。なお、演出情報に含まれる表示部１３に対する命令は、画像表示制御部２１を介して最終的に表示部１３に送られる。
【００１９】
ここで、画像解析部２３が画像を解析するタイミング、および、演出作成部２４が演出を作成するタイミングは実装依存であってよい。例えば、本実施形態では、スライドショーの再生が開始されてから、画像表示制御部２１によって表示対象画像が選択される度に、該表示対象画像について、解析および演出の作成が行われる。しかしこれに限定されず、入力処理部２０が入力部１２を介してユーザから再生すべきスライドショーの指定を受け付けた時に、指定されたスライドショーに含まれるすべての画像について、解析および演出の作成が行われてもよい。あるいは、画像が、画像ＤＢ３０に新規に登録された時に解析および演出の作成が行われてもよい。この場合、解析結果および演出情報は、上記画像に対応付けて画像ＤＢ３０に併せて格納される。あるいは、画像が撮影された時点で演出が作成されてもよい。この場合、画像解析部２３および演出作成部２４は、対話ロボット１ではなく、上記画像を撮像する撮像装置に設けられる。そして、解析結果および演出情報が関連付けられた画像が画像ＤＢ３０に登録される。
【００２０】
演出出力制御部２２は、画像表示制御部２１によって選択された表示対象画像について、該表示対象画像に合わせて作成された演出の出力を制御する。すなわち、演出を出力する各出力部に演出情報を供給することにより、各出力部を制御する。具体的には、演出出力制御部２２は、演出作成部２４によって作成された演出情報に含まれる処理命令のうち、表示部１３に対する処理命令を、画像表示制御部２１を介して表示部１３に送出して、表示部１３に演出動作を実行させる。同様に、演出出力制御部２２は、その他の出力部に対する処理命令を、図示しない音声出力制御部、モーション出力制御部、および、ＬＥＤ制御部を介して、それぞれ、スピーカ１４、サーボ１５およびＬＥＤ１６に送出して、これらに演出動作を実行させる。特に本実施形態では、演出出力制御部２２は、上記表示対象画像についての演出出力の要求を画像表示制御部２１から受け付けると、上述のように表示対象画像の演出の出力を制御するとともに、該演出の出力が終了すると、その旨を、上記要求に対する応答として画像表示制御部２１へ通知する。
【００２１】
（スライドショー再生処理の流れ）
図２および図３を参照して、実施形態１のスライドショー再生処理の流れを説明する。図２は、実施形態１におけるスライドショー再生処理による、画像の表示タイミングと演出の出力タイミングとを説明するタイムチャートである。図３は、対話ロボット１におけるスライドショー再生処理の流れを示すフローチャートである。
【００２２】
入力部１２を介して、ユーザからスライドショー再生の指示が入力されると、入力処理部２０は、ユーザによって指定されたスライドショーの再生を開始するように画像表示制御部２１に対して処理命令を送る。これを受けて画像表示制御部２１はスライドショー再生処理を開始する。まず、画像表示系統において、画像表示制御部２１は、指定されたスライドショーに属する画像群を画像ＤＢ３０から特定する（Ｓ１）。そして、画像表示制御部２１は、所定の基準に基づいて表示対象画像（図２の例では「写真Ａ」）を選択する（Ｓ２）。続いて、選択した表示対象画像を画像解析部２３および演出出力制御部２２に通知するとともに、演出出力制御部２２に対して該表示対象画像の演出の出力を要求する（Ｓ３）。表示対象画像の通知は、画像ＤＢ３０において表示対象画像に関連付けられている識別情報などが画像表示制御部２１から画像解析部２３または演出出力制御部２２に対して伝達されることにより達成される。
【００２３】
画像表示制御部２１が選択した表示対象画像を表示部１３に表示している一方（図２のｔ０、図３のＳ４）、画像表示制御部２１によって、演出出力要求がなされると（Ｓ５においてＹＥＳ）、演出出力系統において、画像解析部２３は通知された表示対象画像について解析を行う（Ｓ６）。画像解析部２３は、既存の技術に基づき、画像パターンＤＢ３１における特徴量との比較結果と撮影日時情報と撮影位置情報とを総合的に組み合わせて、画像に写る事物（人物、風景など）の名称を特定する。例えば、画像解析部２３は、画像の特徴量の比較によって（任意の公知の画像認識エンジンを用いて）、画像に写っている事物を「山」と判別できる。加えて、画像解析部２３は、画像に含まれる撮影位置情報から逆ジオコーディングすることにより最寄りのランドマーク(例えば「富士山」など)の情報を取得できる。そして、両者の複合条件で、画像に含まれる事物を特定することができる。画像解析部２３は、以上のようにして得られた解析結果を記憶部１１に格納する。
【００２４】
続いて、演出作成部２４は解析結果に基づいて演出情報を作成する（Ｓ７）。図２の例では、「去年の５月に○○さんと一緒に富士山を見に行ったんだよね。」というコメントを対話ロボット１に発話させるための音声データ（図２の音声Ａ）と、該音声データを適切なタイミングでスピーカ１４から出力させるための命令とを含む演出情報を作成する。なお、演出作成部２４は、上記解析結果を用いて、表示対象画像の内容に合致した発話のためのコメントを作成することができる。例えば、図示しないコメントデータベース（ＤＢ）には、画像に含まれていることが想定されている事物と、その事物に合ったコメントとが対応付けて格納されており、演出作成部２４は、上記データベースに格納されているコメント、および、所定の定型コメントを組み合わせて、その画像に合致したコメントを作成することができる。
【００２５】
続いて、演出出力制御部２２は、演出作成部２４によって作成された演出情報を、適切な出力部に分配して演出を出力する（図２のｔ１、図３のＳ８）。図２の例では、演出出力制御部２２は、スピーカ１４を制御して、上記コメント（音声Ａ）を出力する。音声Ａの出力が終了すると（図２のｔ２、図３のＳ９でＹＥＳ）、演出出力制御部２２は、Ｓ３の要求に対する応答として、画像表示制御部２１に演出終了を通知する（Ｓ１０）。
【００２６】
画像表示制御部２１は、Ｓ１１において、演出出力制御部２２から写真Ａの演出終了通知を受け取らないうちは（Ｓ１１でＮＯ）写真Ａの表示を継続する。そして、画像表示制御部２１は、演出終了通知の受信以降に（Ｓ１１でＹＥＳ、例えば、図２のｔ３）、写真Ａの非表示の処理を実行する。例えば、写真Ａの非表示は、Ｓ１において特定された画像群の中に未表示の画像が残っている場合には（Ｓ１２でＹＥＳ）、画像表示制御部２１が、写真Ａの次に表示対象となる写真Ｂを選択して（Ｓ２）、写真Ｂに切り替えて表示する（図２のｔ３、図３のＳ４）ことにより達成される。一方、全ての画像の表示が完了した場合（Ｓ１２でＮＯ）、画像表示制御部２１が、スライドショー再生処理を終了することにより、写真Ａの非表示が達成される。
【００２７】
上記構成および方法によれば、画像表示制御部２１は、表示対象画像に付与された演出（発話、モーション、電飾等）の出力を制御する演出出力制御部２２から、演出終了通知を受け取り、その通知をもって現表示画像の非表示を実行する。すなわち、現表示画像のための演出が終了しないうちは、現表示画像の表示が維持される。
【００２８】
これにより、画像に対して動的に演出が付与されるために、演出の終了時点が全画像で一律でない場合であっても、画像表示制御部２１は、画像ごとの演出の終了時点を把握することができる。したがって、現表示画像の演出が終了してから、現表示画像の表示を終了したり、次表示画像に切り替えたりすることができるので、現表示画像の演出が終了しないうちに、現表示画像の表示が不自然に打ち切られるという事態を回避することが可能となる。
【００２９】
〔実施形態２〕
本発明の他の実施形態について、図１、図４〜６に基づいて説明すれば、以下のとおりである。なお、説明の便宜上、上記実施形態にて説明した部材と同じ機能を有する部材については、同じ符号を付記し、その説明を省略する。本実施形態では、現表示画像の演出が終了していないうちに、受け付けた入力操作の内容に応じて、画像の表示切替タイミングおよび演出の出力タイミングを制御する。
【００３０】
（画像表示装置の構成）
本実施形態では、制御部１０は、機能ブロックとして、さらに、入力処理部２０およびタイマ処理部２５を含む。タイマ処理部２５は、所定の時点から計時を開始し、当該時点からの経過時間を計測するものである。タイマ処理部２５が計測した経過時間は、制御部１０の各部が、所定の経過時間に到達した時点に基づいて任意の処理を行うときに適宜参照される。
【００３１】
本実施形態では、入力処理部２０は、ユーザの入力操作として、少なくとも、次表示画像の表示に関する入力操作と、現表示画像の表示継続に関する入力操作とを受け付ける。前者の入力操作としては、これには限定されないが、ユーザが、表示部１３に現表示画像が表示されているときに、（１）タッチパネル１７に対して左から右へフリック操作を行うこと、あるいは、（２）マイク１８を介して、現表示画像の表示を希望しない旨、または、次表示画像の表示を希望する旨の発言（「この写真はもういいや」、「なんかつまんない」、「次見せて」、「この後が気になる」など）を入力することなどが想定される。後者の入力操作としては、これには限定されないが、ユーザが、表示部１３に現表示画像が表示されているときに、（１）タッチパネル１７に対して長押し操作を行うこと、あるいは、（２）マイク１８を介して、現表示画像の表示を希望する旨の発言、または、現表示画像の内容についての発言（「あーいい写真だね」、「すごーい」、「ずっと見ていたいな」、「富士山きれいに撮れたなー」など）を入力することなどが想定される。
【００３２】
本実施形態では、画像表示制御部２１は、入力処理部２０にて次表示画像の表示に関する入力操作が受け付けられた場合には、演出出力制御部２２に対して、現表示画像の演出打ち切りを要求する（演出打ち切り要求）。該演出打ち切り要求には、所定の代替演出の出力要求（所定の演出動作に変更するように要求すること）が含まれていることが好ましい。次に、上記現表示画像から上記次表示画像へ表示対象を切り替える。なお、次表示画像の演出出力要求は、演出打ち切り要求とともに送出されてもよいし、次表示画像への表示の切り替えが完了した後に送出されてもよい。
【００３３】
また、画像表示制御部２１は、入力処理部２０にて現表示画像の表示継続に関する入力操作が受け付けられた場合には、演出出力制御部２２に対して、現表示画像の表示期間を延長する旨の通知（表示延長通知）を送出する。該表示延長通知には、所定の追加演出の出力要求（現表示画像に対応する演出動作の後に所定の演出動作を実行するように要求すること）が含まれていることが好ましい。
【００３４】
本実施形態では、演出出力制御部２２は、画像表示制御部２１から演出打ち切り要求を受け付けると、現表示画像の演出を中断し、代替演出が出力されるよう、各出力部（および演出作成部２４）を制御する。なお、代替演出は、現表示画像の演出が打ち切りになったことを受けた内容であることが好ましい。例えば、「この写真はお好みじゃなかったのかな？じゃあ、次にいくね」などの音声が、打ち切り時に出力される演出として、あらかじめ記憶部１１に格納されている。これらの音声は複数種類格納されていてもよい。
【００３５】
また、演出出力制御部２２は、画像表示制御部２１から表示延長通知を受け付けると、現在実行中の上記現表示画像に対応する演出動作の後に、追加演出が出力されるよう、各出力部（および演出作成部２４）を制御する。なお、追加演出は、現表示画像の表示期間が延長されたことを受けた内容であることが好ましい。例えば、「しばらく、この写真を表示しておくね」などの音声が、表示延長時に出力される演出として、１または複数個記憶部１１に格納されている。あるいは、追加演出の出力とは、現表示画像について出力済の演出を繰り返し出力することであってもよい。
【００３６】
（スライドショー再生処理の流れ）
図４〜図６を参照して、実施形態２のスライドショー再生処理の流れを説明する。図４および図５は、実施形態２におけるスライドショー再生処理による、画像の表示タイミングと演出の出力タイミングとを説明するタイムチャートである。図６の（ａ）および（ｂ）は、実施形態２の対話ロボット１におけるスライドショー再生処理の流れを示すフローチャートである。
【００３７】
本実施形態のスライドショー再生処理において、実施形態１のそれと異なる点は、画像表示制御部２１が、Ｓ４にて表示対象画像を表示した後、Ｓ１１にて演出出力制御部２２から演出終了通知を受け取るまでの間に、入力処理部２０がユーザから入力操作を受け付け、その内容に応じた処理が実行される点である。
【００３８】
例えば、図４に示すとおり、Ｓ４にて写真Ａが表示されるとともに、Ｓ８にて写真Ａに対応する音声Ａが出力される。ここで、音声Ａの出力が終了しないうちに、すなわち、ｔ２’よりも前のｔ２の時点で、入力処理部２０が、次表示画像の表示に関する入力操作（以下、入力操作Ａ）を受け付けると（図６の（ａ）のＳ２１でＹＥＳ、Ａ）、画像表示制御部２１は、写真Ａの演出を打ち切ることを要求する演出打ち切り要求を演出出力制御部２２に送出する（Ｓ２２）。そして、画像表示制御部２１は、Ｓ１２に戻り、次表示画像がある場合には、当該次表示画像についてＳ２以降の処理を繰り返す。すなわち、現表示画像を次表示画像に切り替える（図４のｔ２）。
【００３９】
一方、演出出力制御部２２は、Ｓ８にて出力された音声Ａが終了しないうちに、画像表示制御部２１から演出打ち切り要求を受け付けると（図６の（ｂ）のＳ３１でＹＥＳ）、演出出力制御部２２は、スピーカ１４を制御して、写真Ａに対応する音声Ａの出力を中断する（Ｓ３２、図４のｔ２）。ここで、さらに、演出打ち切り要求に代替演出出力要求が含まれている場合には、演出出力制御部２２は、スピーカ１４に、代替演出としての音声Ｘを出力させる（図４）。その後、演出出力制御部２２は、Ｓ５に戻り、次表示画像の演出出力要求を待機する。
【００４０】
上記構成および方法によれば、写真Ａの本来の終了時点ｔ３’、および、音声Ａの本来の終了時点ｔ２’よりも前に、写真Ａの表示を打ち切る旨の指示がｔ２の時点でユーザから入力された場合に、そのｔ２の時点で、写真Ａを非表示にするのに同期して、対応する音声Ａの出力を打ち切ることができる。結果として、現表示画像の表示がユーザの指示にしたがって打ち切られた場合に、対応する演出が不自然に継続されるという事態を回避することが可能となる。さらに、ユーザからの打ち切り指示に呼応した代替演出（図４の例では、音声Ｘ）を出力することができる。これにより、ユーザとの双方向コミュニケーションが充実した表現豊かなスライドショー再生処理を実現することが可能となる。
【００４１】
あるいは、別の例では、図５に示すとおり、音声Ａの出力終了（ｔ２）に伴う写真Ａの切り替え（ｔ３’）が起こるよりも前の任意の時点、例えば、ｔ４の時点で、入力処理部２０が、現表示画像の表示継続に関する入力操作（以下、入力操作Ｂ）を受け付けると（図６の（ａ）のＳ２１でＹＥＳ、Ｂ）、画像表示制御部２１は、写真Ａの表示期間を延長する旨を通知する表示延長通知を演出出力制御部２２に送出する（Ｓ２３）。その後、画像表示制御部２１は、Ｓ２１に戻り、ユーザからさらに入力操作が実施されるのを待機する。あるいは、タイマ処理部２５がｔ４の時点から計測を開始し、計測された経過時間が所定時間に到達した場合に、画像表示制御部２１が、ユーザからの入力操作を待つことなく、次表示画像の表示を進めてもよい。なお、入力操作Ｂは、音声Ａが終了する時点ｔ２よりも前に起こってもよい。
【００４２】
一方、演出出力制御部２２は、Ｓ８にて写真Ａに対応する音声Ａを出力し始めた後から、次のＳ５にて次表示画像（写真Ｂ）の演出出力要求を受け付けるまでの間に、画像表示制御部２１から表示延長通知を受け付けると（図６の（ｂ）のＳ３１でＮＯ、Ｓ３３でＹＥＳ）、演出出力制御部２２は、スピーカ１４を制御して、写真Ａに対応する音声Ａの出力を最後まで実行させる（Ｓ３４、図５のｔ２）。ここで、さらに、表示延長通知に追加演出出力要求が含まれている場合には、演出出力制御部２２は、スピーカ１４に、追加演出としての音声Ｙを出力させる（図５）。このとき、対話ロボット１が入力操作待機状態である旨をユーザに通知するための、あるいは、入力操作をユーザに促すためのメッセージが上記音声Ｙに含まれていてもよい。その後、演出出力制御部２２は、Ｓ５に戻り、次表示画像の演出出力要求を待機する。
【００４３】
なお、図６の（ａ）のＳ２１において、入力操作Ａも入力操作Ｂも起こらなかった場合には（Ｓ２１でＮＯ）、画像表示系統および演出出力系統において、実施形態１と同様の処理が実行される。
【００４４】
上記構成および方法によれば、写真Ａの本来の終了時点ｔ３’よりも前に、写真Ａの表示を継続する旨の指示がｔ４の時点でユーザから入力された場合に、ｔ３’以降も、写真Ａの表示を継続させることができる。また、表示延長に合わせて、対応する音声Ａの出力を継続させることができる。結果として、現表示画像の表示がユーザの指示にしたがって延長された場合に、対応する演出が不自然に途切れるという事態を回避することが可能となる。さらに、ユーザからの延長指示に呼応した追加演出（図５の例では、音声Ｙ）を出力することができる。これにより、ユーザとの双方向コミュニケーションが充実した表現豊かなスライドショー再生処理を実現することが可能となる。
【００４５】
〔実施形態３〕
本発明の他の実施形態について、図７に基づいて説明すれば、以下のとおりである。なお、説明の便宜上、上記実施形態にて説明した部材と同じ機能を有する部材については、同じ符号を付記し、その説明を省略する。本実施形態では、現表示画像の演出が終了していないうちに、画像表示制御部２１が該演出の終了時点を事前に把握し、把握した終了時点に基づいて、画像の表示切替タイミングおよび演出の出力タイミングを制御する。
【００４６】
（スライドショー再生処理の流れ）
図７は、実施形態３におけるスライドショー再生処理による、画像の表示タイミングと演出の出力タイミングとを説明するタイムチャートである。図８は、実施形態３の対話ロボット１におけるスライドショー再生処理の流れを示すフローチャートである。
【００４７】
本実施形態では、画像表示系統において、画像表示制御部２１は、実施形態１と同様にＳ１〜Ｓ４を実行する。これに対し、演出出力制御部２２は、画像表示制御部２１から、表示対象画像（図７の写真Ａ）の指定とともに演出出力要求を受け付けると（図３のＳ５でＹＥＳ）、Ｓ１０にて演出終了通知を応答として返すことに代えて、演出の出力が終了する（Ｓ９でＹＥＳ、図７のｔ３）よりも前のタイミングにて、演出終了予定時点を上記要求の応答として返す。演出終了予定時点は、現表示画像に対応する演出が終了する予定の時点を示す情報である。例えば、演出終了予定時点は、あと何秒で終了するのかを指定する情報であってもよいし、対話ロボット１に内蔵された時計部（不図示）が示す時刻によって指定されてもよい。前者の場合、画像表示制御部２１および演出出力制御部２２は、タイマ処理部２５が計測する経過時間を共有して、互いに把握する演出終了予定時点を同期させることができる。
【００４８】
より詳細には、演出出力系統において、実施形態１と同様にＳ７にて、写真Ａに合わせて出力させる演出（音声Ａ）の演出情報が確定する。演出出力制御部２２は、この演出情報を解析して、音声Ａの出力開始時点ｔ１から出力終了時点ｔ３までの所要時間（演出所要時間）を特定する。そして、演出出力制御部２２は、Ｓ８にて演出の出力を開始すると、その演出開始時点（ｔ１）からタイマ処理部２５が計時を開始する。演出出力制御部２２は、上記演出開始時点（ｔ１）に上記演出所要時間を加算して、演出終了予定時点（ｔ３）を求める。演出出力制御部２２は、Ｓ９で演出が実際に終了するよりも前に、現表示画像の上記演出終了予定時点を画像表示制御部２１に返す。なお、Ｓ７にて演出情報が確定するよりも前に、Ｓ８にて演出の出力が開始される場合には、演出出力制御部２２は、当該演出の出力中に演出情報が確定したときに、当該演出情報のうちの未出力の部分の演出所要時間と、タイマ処理部２５によって計測された現在の経過時間とに基づいて演出終了予定時点を求めればよい。
【００４９】
一方、図８を参照して、画像表示制御部２１は、Ｓ４の後、写真Ａの演出終了予定時点を演出出力制御部２２から受け付けると（図８のＳ４１でＹＥＳ）、現在時刻が当該演出終了予定時点に到達するよりも前に、演出出力制御部２２に対して、次表示画像（図７の写真Ｂ）の演出の出力を要求する（Ｓ４２）。ここで送出される演出出力要求は、実施形態１とは異なり、写真Ｂの演出の出力を、上記演出終了予定時点で開始するように要求する、いわば、写真Ｂの演出を予約するための要求である。
【００５０】
これに対し、演出出力制御部２２は、写真Ａの演出の出力中に、写真Ｂの予約を含む演出出力要求を受け付けた場合、上記演出終了予定時点（ｔ３）から写真Ｂに対応する音声Ｂの出力が開始されるように、スピーカ１４を制御する。
【００５１】
画像表示制御部２１は、上記演出終了予定時点に基づいて、写真Ａから写真Ｂへの表示の切り替えタイミングを制御する。すなわち、ｔ３の時点で、写真Ａの非表示化を完了させるように、また、ｔ３の時点で、写真Ｂを完全に表示させるように、それぞれの写真の表示／非表示のタイミングを制御する。さらに、画像表示制御部２１は、写真Ａから写真Ｂへの表示切替の移行期間に実行する演出（アニメーション）を、上記演出終了予定時点に基づいて、タイミングよく出力してもよい（Ｓ４３）。
【００５２】
その一例について、図７を参照して説明する。例えば、画像表示制御部２１は、写真Ａを表示中のｔ２の時点で、演出出力制御部２２から、ｚ秒後に音声Ａの出力が終了することを示す演出終了予定時点を受け取る。この場合、画像表示制御部２１は、ｚ秒かけて表示中の写真Ａをフェードアウトさせるというアニメーションを実行させることができる。これにより、演出（音声Ａ）の出力が終了してから、写真Ａの非表示のアニメーションを実行するというシーケンシャルな演出ではなく、音声Ａの終了タイミングに同期させて写真Ａを非表示にするアニメーションを出力するという演出が可能となる。結果として、演出の自由度および表現力が向上し、より面白味のある演出、また、より臨場感を高める演出を実現することができる。
【００５３】
なお、上述の説明では、写真Ａの音声Ａ（演出）の終了時点で、（１）写真Ａの非表示化を完了させる、（２）次の写真Ｂの表示を開始させる、（３）次の写真Ｂの演出を開始させる例について説明したが、これに限定されない。写真Ａの非表示化の完了時点、写真Ｂの表示開始時点、および、写真Ｂの演出開始時点は、音声Ａの終了時点に必ず合致していなくてもよい。すなわち、画像表示制御部２１は、写真Ａの非表示化の完了時点および写真Ｂの表示（演出）開始時点が、少なくとも、音声Ａの終了時点以降となるように、下流の各機能ブロックを制御する。これにより、音声Ａの終了時点に先行して、写真Ａの非表示完了時点、および、写真Ｂの表示（演出）開始時点に到達することは起こらない。したがって、写真Ａに対応する音声Ａが出力されている間に、写真Ａの表示が終わってしまったり、次の写真Ｂが表示されてしまったり、写真Ｂに対応する音声Ｂが出力されてしまったりするという、表示内容と演出動作との不一致が回避できる。
【００５４】
〔変形例〕
実施形態３において、画像表示制御部２１は、演出出力制御部２２から通知されることによって事前に把握した演出終了予定時点が想定以上に先である場合には、すなわち、現表示画像のトータルの表示時間が、写真１枚につき許容される表示時間を超える場合には、現在出力中の演出の中断、および、必要に応じて、より尺が短い演出への差し替えを演出出力制御部２２に対して要求してもよい。また、画像表示制御部２１は、現表示画像の表示を、上記許容される表示時間の満了時点で、あるいは、上記尺が短い演出の終了時点で終了させる。
【００５５】
例えば、画像表示制御部２１が写真Ａをｐ秒間表示した時点で、演出出力制御部２２からｑ秒後に演出が終了するという演出終了予定時点の通知があったとする。このとき、画像表示制御部２１は、ｐ秒＋ｑ秒が、予め定められた閾値（許容される表示時間）を超えている場合に、演出出力制御部２２に対して、写真Ａに対応して現在出力されている音声Ａの差し替えを要求する。
【００５６】
上記構成によれば、例えば、音声Ａが「去年の５月に○○さんと一緒に富士山を見に行ったんだよね。」まで出力された時点で、画像表示制御部２１が、音声Ａの尺が長すぎると判断した場合、演出出力制御部２２は、画像表示制御部２１の要求に応じて、音声Ａを中断し、以降の音声を「この話長くなりそうだけど続けてもいい？」に差し替えて出力することが考えられる。ここで、ユーザから、現表示画像の表示継続に関する入力操作を受け付けた場合に、演出出力制御部２２は、音声Ａの出力を中断位置から再開してもよい。あるいは、演出出力制御部２２は、音声Ａに代えて、「この話長くなりそうなので続きはまたね」という音声を出力し、これにより、写真Ａおよび音声Ａの出力を強制的に打ち切ることが考えられる。
【００５７】
〔ソフトウェアによる実現例〕
対話ロボット１の制御ブロック（特に、入力処理部２０、画像表示制御部２１、演出出力制御部２２、画像解析部２３、演出作成部２４およびタイマ処理部２５）は、集積回路（ＩＣチップ）等に形成された論理回路（ハードウェア）によって実現してもよいし、ＣＰＵ（Central Processing Unit）を用いてソフトウェアによって実現してもよい。
【００５８】
後者の場合、対話ロボット１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００５９】
〔まとめ〕
本発明の態様１に係る画像表示装置（対話ロボット１）は、表示対象の画像を順次切り替えて表示する画像表示制御部（２１）と、上記画像表示制御部によって表示される画像に対応付けて実行する演出動作（音声Ａ）を決定し、決定した演出動作を上記画像の表示に合わせて実行する演出出力制御部（２２）とを備え、上記画像表示制御部は、上記演出出力制御部から取得した、上記演出動作が終了する時点を示す演出終了時点（演出終了時点／演出終了予定時点）に基づいて、現表示画像（写真Ａ）から次表示画像（写真Ｂ）へ表示を切り替えるタイミングを制御する。
【００６０】
上記の構成によれば、演出出力制御部は、表示される画像（以下、表示対象画像）に対応付けて実行する演出動作を決定する。そして、決定した演出動作を上記画像の表示に合わせて実行する。ここで、演出動作の実行にかかる所要時間および演出終了時点が確定する。こうして、演出出力制御部が画像に対応する演出動作を決定したことにより判明した演出終了時点は、演出出力制御部を介して画像表示制御部によって把握される。
【００６１】
現在表示中の表示対象画像（以下、現表示画像）の演出終了時点を把握した画像表示制御部は、把握した演出終了時点に基づいて、現表示画像から次表示画像へ表示を切り替えるタイミングを制御する。そのため、表示されている画像の内容と、演出動作との不一致を回避することができ、結果として、演出の効果が損なわれることなくスライドショーを再生することが可能となる。
【００６２】
本発明の態様２に係る画像表示装置では、上記態様１において、上記演出出力制御部は、上記現表示画像に対応する演出動作が終了したときに、その旨を上記画像表示制御部に通知し、上記画像表示制御部は、上記通知を取得するまで、上記現表示画像の表示を継続してもよい。
【００６３】
上記の構成によれば、現表示画像の演出が終了しないうちに、現表示画像の表示が不自然に打ち切られるという事態を回避することが可能となる。結果として、演出の効果が損なわれることなくスライドショーを再生することが可能となる。
【００６４】
本発明の態様３に係る画像表示装置では、上記態様１において、上記演出出力制御部は、上記現表示画像に対応する演出動作の所要時間を特定し、該演出動作を開始した後、終了するまでの間に、上記所要時間に基づいて算出した、上記演出終了時点（演出終了予定時点）を上記画像表示制御部に通知し、上記画像表示制御部は、上記現表示画像に対応する演出動作が終了する時点以降に、現表示画像の非表示化が完了するように画像を切り替えるタイミングを制御してもよい。
【００６５】
上記の構成によれば、画像表示制御部は、現表示画像に対応する演出動作が終了するよりも前に、その演出動作の終了予定時点を把握する。そして、予定されている演出の終了時点、あるいは、それより後に、上記現表示画像の非表示化を完了させる。
【００６６】
このように、現表示画像の演出の出力が終了した後で、該現表示画像の非表示に係る動作するというシーケンシャルな表現ではなく、現表示画像の演出の終了タイミングに同期させて、現表示画像の表示を終わらせるという表現がスライドショー再生において可能となる。結果として、演出の自由度および表現力が向上し、より面白味のある演出、また、より臨場感を高める演出を実現することができる。こうして演出の効果をより一層高めることが可能となる。
【００６７】
なお、現表示画像の非表示化が完了するように画像を切り替えるタイミングを制御することとしては、例えば、現表示画像が所定の移行期間を経て徐々に消失し、上記演出終了時点で完全に非表示化されるように制御することなどが挙げられる。
【００６８】
本発明の態様４に係る画像表示装置では、上記態様３において、上記画像表示制御部は、上記次表示画像に対応する演出動作を、上記現表示画像に対応する演出動作が終了する時点以降に開始するように上記演出出力制御部に要求するとともに、上記現表示画像に対応する演出動作が終了する時点以降に上記次表示画像が表示されるように画像を切り替えるタイミングを制御してもよい。
【００６９】
上記の構成によれば、画像表示制御部は、現表示画像に対応する演出動作が終了した時点、あるいは、終了時点より後に、現表示画像の表示を終了させるだけでなく、次表示画像の表示および演出を開始させる。例えば、上記終了時点直後に、その次に表示される次表示画像の表示の開始と、当該次表示画像の演出動作の開始とを同期させることが可能となる。結果として、演出の自由度および表現力が向上し、より面白味のある演出、また、より臨場感を高める演出を実現することができる。こうして演出の効果をより一層高めることが可能となる。
【００７０】
なお、次表示画像が表示されるように画像を切り替えるタイミングを制御することとしては、例えば、次表示画像が所定の移行期間を経て徐々に出現し、上記演出終了時点で完全に表示されるように制御することなどが挙げられる。
【００７１】
本発明の態様５に係る画像表示装置では、上記態様３または４において、上記画像表示制御部は、上記演出出力制御部から取得した上記演出終了時点が、所定時点よりも後である場合に、上記現表示画像を非表示にするとともに、上記現表示画像に対応する演出動作を中断するように上記演出出力制御部に要求し、上記演出出力制御部は、上記要求にしたがって、上記演出動作を中断するまたは上記演出動作に差し替えて、より短い別の演出動作を実行してもよい。
【００７２】
上記の構成によれば、画像表示制御部は、事前に把握した現表示画像に対応する演出動作の終了予定時点に基づいて、演出が長すぎると判断した場合には、画像表示制御部は、当該演出動作の中断を演出出力制御部に要求する。演出出力制御部は、この要求に応じて、実行中の演出動作を中断したり、より短い演出になるように演出内容を差し替えて実行する。また、画像表示制御部は、現表示画像を非表示にする。この非表示化が完了するタイミングは、上述の演出が長すぎると判断した時点であってもよいし、上述の所定の時点であってもよい。これにより、画像に合わせて演出動作が決定された結果、当該演出動作が不自然に長くなる場合に、演出動作の実行期間を１枚の画像における自然な表示期間内に短縮することができる。結果として、演出の自由度および表現力が向上し、状況に応じて、表現が豊かなスライドショーの再生を実現することが可能となる。
【００７３】
本発明の態様６に係る画像表示装置では、上記態様１〜５において、上記現表示画像に対応する演出動作が終了しないうちに、上記画像表示装置に対して入力操作があったとき、上記画像表示制御部は、上記入力操作が上記次表示画像の表示に関する入力操作である場合に、実行中の上記現表示画像に対応する演出動作を、所定の演出動作（代替演出）に変更するように上記演出出力制御部に要求するとともに、上記現表示画像から上記次表示画像へ表示を切り替えてもよい。
【００７４】
上記の構成によれば、ユーザが現表示画像の表示を早々に切り上げて、次表示画像の表示を希望した場合に、ユーザの希望どおり、現表示画像の表示をスキップできるとともに、対応する演出が不自然に出力されたままになるという事態を回避することができる。さらには、上述の状況に合わせた演出に差し替えることも可能である。結果として、ユーザとの双方向コミュニケーションが充実した表現豊かなスライドショーの再生を実現することが可能となる。
【００７５】
本発明の態様７に係る画像表示装置では、上記態様１〜６において、上記現表示画像に対応する演出動作が終了しないうちに、上記画像表示装置に対して入力操作があったとき、上記画像表示制御部は、上記入力操作が上記現表示画像の表示継続に関する入力操作である場合に、実行中の上記現表示画像に対応する演出動作の後に、所定の演出動作（追加演出）を実行するように上記演出出力制御部に要求するとともに、上記演出出力制御部から取得した上記演出終了時点以降も上記現表示画像の表示を継続してもよい。
【００７６】
上記の構成によれば、ユーザが現表示画像の表示の継続を希望した場合に、ユーザの希望どおり、現表示画像の表示時間を延長することができる。そして、現表示画像の演出終了時点に到達しても、それ以降も現表示画像の表示を継続できる。さらには、その状況に合わせた演出を追加することも可能である。結果として、ユーザとの双方向コミュニケーションが充実した表現豊かなスライドショーの再生を実現することが可能となる。
【００７７】
本発明の態様８に係る画像表示方法は、表示対象の画像を順次切り替えて表示する画像表示ステップ（Ｓ４）と、上記画像表示ステップで表示される画像に対応付けて実行する演出動作を決定し、決定した演出動作を上記画像の表示に合わせて実行する演出出力ステップ（Ｓ８）と、上記演出出力ステップの後に判明する、上記演出動作が終了する時点を示す演出終了時点に基づいて、現表示画像から次表示画像へ表示を切り替えるタイミングを制御する切替タイミング制御ステップ（Ｓ１１→Ｓ１２→Ｓ２、Ｓ４３）とを含む。
【００７８】
本発明の各態様に係る画像表示装置は、コンピュータによって実現してもよく、この場合には、コンピュータを上記画像表示装置が備える各部（ソフトウェア要素としての、画像表示制御部、演出出力制御部、画像解析部、演出作成部、タイマ処理部）として動作させることにより上記画像表示装置をコンピュータにて実現させる画像表示装置の制御プログラム、およびそれを記録したコンピュータ読み取り可能な記録媒体も、本発明の範疇に入る。
【００７９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８０】
１  対話ロボット（画像表示装置）、１０  制御部、１１  記憶部、１２  入力部、１３
表示部、１４  スピーカ（演出出力部）、１５  サーボ（演出出力部）、１６  ＬＥＤ（演出出力部）、１７  タッチパネル、１８  マイク、２０  入力処理部、２１  画像表示制御部、２２  演出出力制御部、２３  画像解析部、２４  演出作成部、２５  タイマ処理部
【図１】
2017051686.tif 000003
【図２】
2017051686.tif 000004
【図３】
2017051686.tif 000005
【図４】
2017051686.tif 000006
【図５】
2017051686.tif 000007
【図６】
2017051686.tif 000008
【図７】
2017051686.tif 000009
【図８】
2017051686.tif 000010
【図９】
2017051686.tif 000011
【国際調査報告】
2017051686.tif 000012
2017051686.tif 000013
2017051686.tif 000014
2017051686.tif 000015